(57)【要約】【課題】迅速に鉛−２０１液体を分離でき、鉛−２０１液体に対して、減衰とイオン交換を行って放射性同位元素タリウム−２０１が得られる放射性同位元素タリウム−２０１の分離装置を提供する。【解決手段】溶解槽と、第１の制御弁と第２の制御弁及び第３の制御弁が連接される真空装置と、第４の制御弁が連接される第１のガラス槽と、三方制御弁が連接される共沈槽と、第５の制御弁が連接される第２のガラス槽と、第６の制御弁が連接されるイオン交換柱と、鉛−２０１収集瓶と、第７の制御弁が連接される第３のガラス槽と、タリウム−２０３収集瓶と、から構成される。【選択図】図１
2008104988.tif 000002
【特許請求の範囲】
【請求項１】
少なくとも、溶解槽と、それぞれ、第１の制御弁と第２の制御弁及び第３の制御弁が連接される真空装置と、
一側に第４の制御弁が連接され、もう一側に当該第１の制御弁が連接される第１のガラス槽と、
三方制御弁が連接される共沈槽と、
一側に第５の制御弁が連接され、もう一側に当該第２の制御弁が連接される第２のガラス槽と、
一側に当該第５の制御弁が連接され、もう一側に第６の制御弁が連接されるイオン交換柱と、
鉛−２０１収集瓶と、
一側に第７の制御弁が連接され、もう一側に当該第３の制御弁が連接される第３のガラス槽と、
タリウム−２０３収集瓶と、が含有される、ことを特徴とする放射性同位元素タリウム−２０１の分離装置。
【請求項２】
当該三方制御弁は、第８の制御弁が連接されることを特徴とする請求項１に記載の放射性同位元素タリウム−２０１の分離装置。
【発明の詳細な説明】
【技術分野】
【０００１】
本発明は、放射性同位元素タリウム−２０１の分離装置に関し、特に、迅速に純度が比較的に高い鉛−２０１液体を分離でき、そして、当該鉛−２０１液体に対して、減衰とイオン交換を行って放射性同位元素タリウム−２０１が得られる分離装置に関する。
【背景技術】
【０００２】
タリウム−２０１塩化第一タリウムは、心筋によって素早く吸収されて心筋に集中するため、心臓病を診断するための心筋造影に利用され、また、腫瘍造影等の他の医療診断に利用され、そのため、タリウム−２０１は、内外の核医学分野において、使用量が最も多い放射性同位元素の一つである。
【０００３】
一般の、タリウム−２０１の製造方法は、文献「Ｑａｉｍ  Ｓ．Ｍ．、Ｗｅｉｎｒｅｉｃｈ  Ｒ．  ａｎｄ  Ｏｌｌｉｇ  Ｈ．、Ｐｒｏｄｕｃｔｉｏｎ  ｏｆ  Ｔｌ−２０１  ａｎｄ  Ｐｂ２０３  ｖｉａ  Ｐｒｏｔｏｎ  Ｉｎｄｕｃｅｄ  Ｎｕｃｌｅａｒ  Ｒｅａｃｔｉｏｎ  ｏｎ  Ｎａｔｕｒａｌ  Ｔｈａｌｌｉｕｍ、  Ｉｎｔｅｒｎａｔｉｏｎａｌ  Ｊｏｕｒｎａｌ  ｏｆ  Ａｐｐｌｉｅｄ  Ｒａｄｉａｔｉｏｎ  ａｎｄ  Ｉｓｏｔｏｐｅｓ、３０（１９７９）ｐｐ．８５−９５．」に記載されているように、直接的に清水洗によりタリウム−２０１を洗い出す。しかし、清水洗によってタリウム−２０１を洗い出す時、タリウム−２０１に不純物が存在するため、作造されたタリウム−２０１の純度が比較的に低いから、実用的とは言えない。
【発明の開示】
【発明が解決しようとする課題】
【０００４】
本発明の主な目的は、タリウム−２０３固体ターゲット材料から迅速に鉛−２０１液体を分離でき、そして、鉛−２０１液体に対して減衰とイオン交換を行って放射性同位元素タリウム−２０１が得られる放射性同位元素タリウム−２０１の分離装置を提供する。
【課題を解決するための手段】
【０００５】
本発明は、上記の目的を達成するために、少なくとも、溶解槽と、第１の制御弁と第２の制御弁及び第３の制御弁が連接される真空装置と、第４の制御弁が連接される第１のガラス槽と、三方制御弁が連接される共沈槽と、第５の制御弁が連接される第２のガラス槽と、第６の制御弁が連接されるイオン交換柱と、鉛−２０１収集瓶と、第７の制御弁が連接される第３のガラス槽と、タリウム−２０３収集瓶と、から構成される放射性同位元素タリウム−２０１の分離装置である。
【発明を実施するための最良の形態】
【０００６】
図１は、本発明の基本構造概念図である。図のように、本発明は、放射性同位元素タリウム−２０１の分離装置であり、少なくとも、溶解槽１と、第１の制御弁２１と第２の制御弁２２及び第３の制御弁２３が連接される真空装置２と、一側に第４の制御弁３１が連接され、もう一側に第１の制御弁２１が連接される第１のガラス槽３と、三方制御弁４１が連接される共沈槽４と、一側に第５の制御弁５１が連接され、もう一側に第２の制御弁２２が連接される第２のガラス槽５と、一側に第６の制御弁６１が連接され、もう一側に第５の制御弁５１が連接されるイオン交換柱６と、鉛−２０１収集瓶７と、一側に第７の制御弁８１が連接され、もう一側に第３の制御弁２３が連接される第３のガラス槽８と、タリウム−２０３収集瓶９と、から構成され、当該三方制御弁４１は、第８の制御弁４２が連接され、上記の構造により、快速的に鉛−２０１液体を分離できる新規な放射性同位元素タリウム−２０１の分離装置が構成される。
【０００７】
図２は、本発明の一実施例の概念図である。図のように、本発明に係わる分離装置により、タリウム−２０３固体ターゲット材料を分離して、鉛−２０１液体が分離され、また、当該鉛−２０１液体に対して衰退とイオン交換を行うことにより、放射性同位元素タリウム−２０１が得られる。
【０００８】
操作に際して、まず、鉛−２０１を含有するタリウム−２０３固体ターゲット材料を当該溶解槽１に入れ込んでから、１．６Ｎ硝酸と第二鉄イオン及び注射用水を添加し、当該タリウム−２０３固体ターゲット材料が溶液に溶解される。
【０００９】
第１の制御弁２１を開放して、当該真空装置２により全部の鉛−２０１溶液とタリウム−２０３溶液を当該第１のガラス槽３に吸い込み、その後、当該第１の制御弁２１を締めてから、アンモニアを添加して混合し、そして、第４の制御弁３１を開放して、当該第１のガラス槽３内においてアンモニアと混合した鉛−２０１溶液とタリウム−２０３溶液が当該共沈槽４に滴入し、そして、水を添加して共沈させ、これにより、当該鉛−２０１溶液とタリウム−２０３溶液が、タリウム−２０３液体と鉛−２０１液体に分離される。
【００１０】
第２の制御弁２２を開放して、真空装置２により、当該共沈槽４から、全部の鉛−２０１液体を第２のガラス槽５内に吸い込み、その後、当該第２の制御弁２２を締めてから、８Ｎ塩酸を添加して混合し、そして、第５の制御弁５１を開放して、当該鉛−２０１液体が当該イオン交換柱６に滴入し、そして、樹脂によりイオン交換を行い、これにより、鉛−２０１液体中の鉄を濾過分離し、続いて、第６の制御弁６１を開放し、純粋な鉛−２０１液体が鉛−２０１収集瓶７に滴入する。
【００１１】
そして、共沈槽４に連接される三方制御弁４１と第３の制御弁２３を開放し、真空装置２により、当該共沈槽４にあるタリウム−２０３液体を、当該第３のガラス槽８に吸い込んでから、当該第３の制御弁２３を締めるとともに第７の制御弁８１を開放し、これにより、当該第３のガラス槽８内のタリウム−２０３液体が、当該タリウム−２０３収集瓶９に滴入する。
【００１２】
その後、鉛−２０１収集瓶７から鉛−２０１液体を取り出して減衰させ、鉛−２０１液体が、タリウム−２０１液体に減衰されてから、イオン交換により、放射性同位元素タリウム−２０１が得られる。また、当該三方制御弁４１は、第８の制御弁４２が連接され、窒素ガスの供給を制御できる。
【００１３】
以上のように、本発明に係わる放射性同位元素タリウム−２０１の分離装置は、有効的に従来の様々の欠点を改善でき、迅速にタリウム−２０３固体ターゲット材料から鉛−２０１液体が分離され、そして、当該鉛−２０１液体に対して減衰とイオン交換を行うことにより、放射性同位元素タリウム−２０１が得られ、そのため、本発明は、より実用的なものであるから、法に従って特許出願する。
【００１４】
以上は、ただ、本発明のより良い実施例であり、本発明は、それによって制限されることがなく、本発明に係わる特許請求の範囲や明細書の内容に従って行った等価の変更や修正は、全てが、本発明に係わる特許請求の範囲内に含まれる。
【図面の簡単な説明】
【００１５】
【図１】本発明の基本構造概念図
【図２】本発明の実施例の概念図
【符号の説明】
【００１６】
１    溶解槽
２    真空装置
２１    第１の制御弁
２２    第２の制御弁
２３    第３の制御弁
３    第１のガラス槽
３１    第４の制御弁
４    共沈槽
４１    三方制御弁
４２    第８の制御弁
５    第２のガラス槽
５１    第５の制御弁
６    イオン交換柱
６１    第６の制御弁
７    鉛−２０１収集瓶
８    第３のガラス槽
８１    第７の制御弁
９    タリウム−２０１収集瓶
【図１】
2008104988.tif 000003
【図２】
2008104988.tif 000004